(57)【要約】      （修正有）【課題】使い勝手がよいスマートフォン用ケースを提供する。【解決手段】スマートフォン用ケース１００は、表面と後面を有する底板１２０と、該底板１２０の表面の周囲を囲むように形成された側壁を有し、透明で、硬く、適当な弾性を有するプラスチック製である。前記側壁は、上側壁１３０、下側壁１４０、右側壁１５０、及び、左側壁１６０を有する。下側壁１４０、右側壁１５０、及び、左側壁１６０の高壁部の頂点縁に、内側に突出した頂点爪部が設けられており、前記頂点爪部は、スマホの前面の周縁と側面の上縁の間に形成された溝に係合するように構成されている。【選択図】図１Ａ
0003181994.tif 000002
【実用新案登録請求の範囲】
【請求項１】
表面と後面を有する底板と、該底板の表面の周囲を囲むように形成された側壁を有し、透明で、硬く、適当な弾性を有するプラスチック製のスマートフォン用ケースにおいて、
前記側壁は、上側壁、下側壁、右側壁、及び、左側壁を有し、前記右側壁と前記上側壁及び前記下側壁の間の角部に、それぞれ湾曲部が形成され、前記左側壁と前記上側壁及び前記下側壁の間の角部に、それぞれ湾曲部が形成され、前記底板に窓が形成されており、
スマホの上側面、下側面、右側面、及び、左側面は、前記上側壁、前記下側壁、前記右側壁、及び、前記左側壁にそれぞれ係合するように構成され、
前記右側壁は、前記表面からの高さが低い低壁部と前記表面からの高さが高い高壁部を有し、前記低壁部と前記高壁部の間にスロープ状の遷移部が形成されており、前記高壁部の頂点縁に、内側に突出した頂点爪部が設けられており、
前記左側壁は、前記表面からの高さが低い低壁部と前記表面からの高さが高い高壁部を有し、前記低壁部と前記高壁部の間にスロープ状の遷移部が形成され、前記高壁部の頂点縁に、内側に突出した頂点爪部が設けられており、
前記下側壁は、前記表面からの高さが低い低壁部と該低壁部の両側の前記表面からの高さが高い高壁部を有し、前記低壁部と前記高壁部の間に、それぞれ、スロープ状の遷移部が形成され、前記高壁部の頂点縁に、内側に突出した頂点爪部が、それぞれ設けられており、
前記上側壁、前記右側壁の低壁部、前記左側壁の低壁部、及び、前記下側壁の低壁部は、同一の高さの頂点縁を有し、前記上側壁、前記右側壁の低壁部、及び、前記左側壁の低壁部は連続的に接続された低壁部を形成しており、
前記右側壁の高壁部、前記左側壁の高壁部、及び、前記下側壁の高壁部は、同一の高さの頂点縁を有し、前記右側壁の高壁部及び前記下側壁の一方の高壁部は連続的に接続された高壁部を形成しており、前記左側壁の高壁部及び前記下側壁の他方の高壁部は連続的に接続された高壁部を形成しており、
前記右側壁の高壁部の頂点縁及び前記下側壁の一方の高壁部の頂点縁にそれぞれ形成された前記頂点爪部は連続的に接続された頂点爪部を形成し、前記左側壁の高壁部の頂点縁及び前記下側壁の他方の高壁部の頂点縁にそれぞれ形成された前記頂点爪部は連続的に接続された頂点爪部を形成し、前記連続的に接続された頂点爪部はスマホの前面の周縁と側面の上縁の間に形成された溝に係合するように構成されていることを特徴とするスマートフォン用ケース。
【請求項２】
請求項１に記載のスマートフォン用ケースにおいて、
スマホの上側面、下側面、右側面、及び、左側面が、前記上側壁、前記下側壁、前記右側壁、及び、前記左側壁にそれぞれ係合したとき、前記スマホの前面のカメラ、レシーバー／前面マイク、タッチパネル（液晶表示部）、及び、ホームボタンが露出し、前記窓からは、スマホの後面のカメラ、マイク、及び、ＬＥＤフラッシュが露出し、
前記下側壁の低壁部にて、スマホの下側面のヘッドセットコネクタ、マイク、ライトニングコネクタ、スピーカが露出し、前記左側壁の低壁部にて、スマホの左側面の着信／サイレントスイッチ、及び、音量ボタンが露出し、前記上壁部より、スマホの上側面のスリープ／スリープ解除ボタンが露出していることを特徴とするスマートフォン用ケース。
【請求項３】
請求項１に記載のスマートフォン用ケースにおいて、
前記底板の後面は、中央の平坦面、上側傾斜面、下側傾斜面、右側傾斜面、及び、左側傾斜面を有し、前記平坦面の厚さは周囲の部分より厚いことを特徴とするスマートフォン用ケース。
【考案の詳細な説明】
【技術分野】
【０００１】
本考案は、スマートフォンを収納するためのスマートフォン用ケースに関する。
【背景技術】
【０００２】
近年、携帯電話に代わって、スマートフォンが普及している。スマートフォンは、パソコンと同じウェブブラウザ(フルブラウザ)によるウェブ閲覧や、電子メールの送受信、文書ファイルの作成・閲覧、写真や音楽、ビデオの再生・閲覧、カレンダー機能、住所録、電卓、内蔵カメラのある機種では写真や動画の撮影、テレビ電話などの機能を有する。無線LAN(Wi-Fi)に対応している機種では、屋外では携帯電話のデータ通信機能、屋内ではより高速な無線LAN、と使い分けることができる。
【先行技術文献】
【特許文献】
【０００３】
【特許文献１】特開２０００−３２３８８４
【考案の概要】
【考案が解決しようとする課題】
【０００４】
スマートフォンは略矩形の薄板状の形状を有し、その一方の面が液晶のタッチパネルとなっている。そのため、スマートフォン用のケースは、液晶のタッチパネルを覆うような形式では使い勝手が悪い。
【０００５】
本考案の目的は、使い勝手がよいスマートフォン用ケースを提供することにある。
【課題を解決するための手段】
【０００６】
本考案によると、表面と後面を有する底板と、該底板の表面の周囲を囲むように形成された側壁を有し、透明で、硬く、適当な弾性を有するプラスチック製のスマートフォン用ケースにおいて、
前記側壁は、上側壁、下側壁、右側壁、及び、左側壁を有し、前記右側壁と前記上側壁及び前記下側壁の間の角部に、それぞれ湾曲部が形成され、前記左側壁と前記上側壁及び前記下側壁の間の角部に、それぞれ湾曲部が形成され、前記底板に窓が形成されており、
スマホの上側面、下側面、右側面、及び、左側面は、前記上側壁、前記下側壁、前記右側壁、及び、前記左側壁にそれぞれ係合するように構成され、
前記右側壁は、前記表面からの高さが低い低壁部と前記表面からの高さが高い高壁部を有し、前記低壁部と前記高壁部の間にスロープ状の遷移部が形成されており、前記高壁部の頂点縁に、内側に突出した頂点爪部が設けられており、
前記左側壁は、前記表面からの高さが低い低壁部と前記表面からの高さが高い高壁部を有し、前記低壁部と前記高壁部の間にスロープ状の遷移部が形成され、前記高壁部の頂点縁に、内側に突出した頂点爪部が設けられており、
前記下側壁は、前記表面からの高さが低い低壁部と該低壁部の両側の前記表面からの高さが高い高壁部を有し、前記低壁部と前記高壁部の間に、それぞれ、スロープ状の遷移部が形成され、前記高壁部の頂点縁に、内側に突出した頂点爪部が、それぞれ設けられており、
前記上側壁、前記右側壁の低壁部、前記左側壁の低壁部、及び、前記下側壁の低壁部は、同一の高さの頂点縁を有し、前記上側壁、前記右側壁の低壁部、及び、前記左側壁の低壁部は連続的に接続された低壁部を形成しており、
前記右側壁の高壁部、前記左側壁の高壁部、及び、前記下側壁の高壁部は、同一の高さの頂点縁を有し、前記右側壁の高壁部及び前記下側壁の一方の高壁部は連続的に接続された高壁部を形成しており、前記左側壁の高壁部及び前記下側壁の他方の高壁部は連続的に接続された高壁部を形成しており、
前記右側壁の高壁部の頂点縁及び前記下側壁の一方の高壁部の頂点縁にそれぞれ形成された前記頂点爪部は連続的に接続された頂点爪部を形成し、前記左側壁の高壁部の頂点縁及び前記下側壁の他方の高壁部の頂点縁にそれぞれ形成された前記頂点爪部は連続的に接続された頂点爪部を形成し、前記連続的に接続された頂点爪部はスマホの前面の周縁と側面の上縁の間に形成された溝に係合するように構成されている。
【０００７】
本考案によると、前記スマートフォン用ケースにおいて、
スマホの上側面、下側面、右側面、及び、左側面が、前記上側壁、前記下側壁、前記右側壁、及び、前記左側壁にそれぞれ係合したとき、前記スマホの前面のカメラ、レシーバー／前面マイク、タッチパネル（液晶表示部）、及び、ホームボタンが露出し、前記窓からは、スマホの後面のカメラ、マイク、及び、ＬＥＤフラッシュが露出し、
前記下側壁の低壁部にて、スマホの下側面のヘッドセットコネクタ、マイク、ライトニングコネクタ、スピーカが露出し、前記左側壁の低壁部にて、スマホの左側面の着信／サイレントスイッチ、及び、音量ボタンが露出し、前記上壁部より、スマホの上側面のスリープ／スリープ解除ボタンが露出してよい。
【０００８】
本考案によると、前記スマートフォン用ケースにおいて、
前記底板の後面は、中央の平坦面、上側傾斜面、下側傾斜面、右側傾斜面、及び、左側傾斜面を有し、前記平坦面の厚さは周囲の部分より厚くてよい。
【考案の効果】
【０００９】
本考案によれば、使い勝手がよいスマートフォン用ケースを提供することができる。
【図面の簡単な説明】
【００１０】
【図１Ａ】図１Ａは、本考案に係るスマートフォン用ケースにスマートフォンを収納する前の状態を示す図であり、スマートフォンの前面側からの概観図である。
【図１Ｂ】図１Ｂは、本考案に係るスマートフォン用ケースにスマートフォンを収納した後の状態を示す図であり、スマートフォンの前面側からの概観図である。
【図２Ａ】図２Ａは、本考案に係るスマートフォン用ケースにスマートフォンを収納する前の状態を示す図であり、スマートフォンの後面側からの概観図である。
【図２Ｂ】図２Ｂは、本考案に係るスマートフォン用ケースにスマートフォンを収納した後の状態を示す図であり、スマートフォンの後面側からの概観図である。
【図３Ａ】図３Ａは、本考案に係るスマートフォン用ケースの前面の構成を示す図である。
【図３Ｂ】図３Ｂは、本考案に係るスマートフォン用ケースの後面の構成を示す図である。
【図４】図４は、本考案に係るスマートフォン用ケースの頂点爪部が、スマホの前面の周縁と側面の上縁の間に形成された溝に係合している状態を示す図である。
【考案を実施するための形態】
【００１１】
図１Ａ及び図２Ａは市販のスマホを本考案に係るスマホ用ケースに収納する前の状態を示し、図１Ｂ及び図２Ｂは市販のスマホを本考案に係るスマホ用ケースに収納した後の状態を示す。
【００１２】
図１Ａ及び図１Ｂは市販のスマホの前面が見える角度から観察した状態を示し、図２Ａ及び図２Ｂは市販のスマホの後面が見える角度から観察した状態を示す。
【００１３】
本考案に係るスマートフォン用ケースを説明する前に、本考案に係るスマートフォン用ケースに適合する市販のスマホの概略を説明する。ここでは、市販のスマホの例として、アップル社のアイフォーン（商品名）を説明するが、他のスマホであってもよい。
【００１４】
本例のスマホ２００は、高さ（長手方向の寸法）が１２４ｍｍ、幅が５９ｍｍ、厚さが８ｍｍの略矩形の板状であるが、その四隅は角が取れて丸くなっている。本例のスマホ２００は、互いに平行な前面２２０Ａ（図１Ａ参照）と後面２２０Ｂ（図２Ａ参照）を有し、周囲を囲むように４つの側面、即ち、上側面２３０、下側面２４０、右側面２５０、及び、左側面２６０を有する。前面２２０Ａと周囲の側面の間の角部には、断面が矩形の溝２１０が縁に沿って形成されている。従って、前面２２０Ａの周縁と側面の上縁の間に、段差が形成されている。
【００１５】
右側面２５０と上側面２３０及び下側面２４０の間の角部に、それぞれ湾曲面２５０Ａ、２５０Ｂが形成されている。左側面２６０と上側面２３０及び下側面２４０の間の角部に、それぞれ湾曲面２６０Ａ、２６０Ｂが形成されている。
【００１６】
スマホの前面２２０Ａには、カメラ２２１、レシーバー／前面マイク２２２、タッチパネル（液晶表示部）２２３、及び、ホームボタン２２４が設けられている。スマホの上側面２３０には、スリープ／スリープ解除ボタン（図示なし）が設けられている。スマホの下側面２４０には、ヘッドセットコネクタ２４１、マイク２４２、ライトニングコネクタ２４３、スピーカ２４４が設けられている。スマホの右側面２５０には、ＳＩＭカードトレイ２５１が設けられている。スマホの左側面２６０には、着信／サイレントスイッチ２６１、及び、音量ボタン２６２が設けられている。スマホの後面２２０Ｂには、カメラ２２５、マイク２２６、及び、ＬＥＤフラッシュ２２７が設けられている。
【００１７】
次に、図１Ａ及び図２Ａを参照して、本考案に係るスマートフォン用ケースについて説明する。図１Ａに示すように、本考案の実施形態によると、スマートフォン用ケース１００は、底板１２０とその周囲を囲むように形成された側壁を有する。底板１２０には長円形の貫通孔である窓１２１が形成されている。
【００１８】
スマートフォン用ケース１００は、透明で、硬く、適当な弾性を有するプラスチック製である。スマートフォン用ケース１００を構成する材料として、透明で、硬く、且つ、適当な弾性を有する材料であればどのような材料を用いてもよいが、例えば、ポリカーボネート（PC）、ポリエチレンテレフタラート（PET）、アクリル（PMMA）、ポリスチレン(PS)、ＡＢＳ樹脂(Acrylonitrile Butadiene Styrene copolymer）、又は、ＡＳ樹脂（Acrylonitrile Styrene copolymer）を用いてもよい。
【００１９】
底板１２０は前面１２０Ａ（図１Ａ参照）と後面１２０Ｂ（図２Ａ参照）を有する。前面１２０Ａは、スマホ２００の外形に対応した形状を有する平面である。底板１２０の前面１２０Ａの周囲を囲むように形成された側壁は、上側壁１３０、下側壁１４０、右側壁１５０、及び、左側壁１６０を有する。この側壁の構造は後に図３Ａを参照して説明する。
【００２０】
次に、図１Ｂ及び図２Ｂを参照して、スマホ２００を本考案に係るスマートフォン用ケース１００に装着する方法を説明する。底板１２０の上側壁１３０から下側壁１４０の方向に、底板１２０の前面１２０Ａ上を、スマホ２００を長手方向に沿って滑らすように移動させる。スマホ２００の下側面２４０が、スマートフォン用ケース１００の下側壁１４０に当接するまで、スマホ２００を底板１２０の前面１２０Ａに沿って移動させる。
【００２１】
スマホ２００の上側面２３０、下側面２４０、右側面２５０、及び、左側面２６０は、スマートフォン用ケース１００の上側壁１３０、下側壁１４０、右側壁１５０、及び、左側壁１６０にそれぞれ係合する。図１Ｂに示すように、スマホ２００の前面２２０Ａは、スマートフォン用ケース１００によって覆われていないから露出する。即ち、スマホ２００の前面２２０Ａのカメラ２２１、レシーバー／前面マイク２２２、タッチパネル（液晶表示部）２２３、及び、ホームボタン２２４は露出する。図２Ｂに示すように、窓１２１からは、スマホの後面２２０Ｂのカメラ２２５、マイク２２６、ＬＥＤフラッシュ２２７が露出する。
【００２２】
図１Ｂに示すように、下側壁１４０にて、スマホの下側面２４０のヘッドセットコネクタ２４１、マイク２４２、ライトニングコネクタ２４３、スピーカ２４４が露出している。図２Ｂに示すように、左側壁１６０にて、スマホの左側面２６０の着信／サイレントスイッチ２６１、及び、音量ボタン２６２が露出する。尚、図示しないが、上側壁１３０にて、スマホの上側面２３０のスリープ／スリープ解除ボタン（図示なし）が露出する。従って、スマホ２００を本考案に係るスマートフォン用ケース１００に装着した状態で、スマホ２００の諸機能を利用することができる。
【００２３】
図３Ａを参照してスマートフォン用ケース１００の上面構成を説明する。底板１２０の前面１２０Ａの周囲に、側壁が設けられている。側壁は、上側壁１３０、下側壁１４０、右側壁１５０、及び、左側壁１６０を有する。右側壁１５０と上側壁１３０及び下側壁１４０の間の角部に、それぞれ湾曲部１５０Ａ、１５０Ｂが形成されている。左側壁１６０と上側壁１３０及び下側壁１４０の間の角部に、それぞれ湾曲部１６０Ａ、１６０Ｂが形成されている。底板１２０の前面１２０Ａに窓１２１が形成されている。
【００２４】
図３Ａ及び図１Ａに示すように、右側壁１５０は、前面１２０Ａからの高さが低い低壁部１５１と前面１２０Ａからの高さが高い高壁部１５３を有し、両者の間にスロープ状の遷移部１５２が形成されている。高壁部１５３の頂点縁に、内側に突出した頂点爪部１５４が設けられている。
【００２５】
左側壁１６０は、前面１２０Ａからの高さが低い低壁部１６１と前面１２０Ａからの高さが高い高壁部１６３を有し、両者の間にスロープ状の遷移部１６２が形成されている。高壁部１６３の頂点縁に、内側に突出した頂点爪部１６４が設けられている。
【００２６】
下側壁１４０は、前面１２０Ａからの高さが低い低壁部１４１とその両側の前面１２０Ａからの高さが高い高壁部１４３ａ、１４３ｂを有し、両者の間に、それぞれ、スロープ状の遷移部１４２ａ、１４２ｂが形成されている。高壁部１４３ａ、１４３ｂの頂点縁に、内側に突出した頂点爪部１４４ａ、１４４ｂが、それぞれ設けられている。
【００２７】
上側壁１３０、右側壁１５０の低壁部１５１、左側壁１６０の低壁部１６１、及び、下側壁１４０の低壁部１４１の頂点縁は同一の高さである。上側壁１３０、右側壁１５０の低壁部１５１、及び、左側壁１６０の低壁部１６１は連続的に接続された低壁部を形成している。
【００２８】
右側壁１５０の高壁部１５３、左側壁１６０の高壁部１６３、及び、下側壁１４０の高壁部１４３ａ、１４３ｂの頂点縁は同一の高さである。
【００２９】
右側壁１５０の高壁部１５３と下側壁１４０の高壁部１４３ａは連続的に接続された高壁部を形成し、左側壁１６０の高壁部１６３と下側壁１４０の高壁部１４３ｂは連続的に接続された高壁部を形成している。更に、右側壁１５０の高壁部１５３の頂点爪部１５４と下側壁１４０の高壁部１４３ａの頂点爪部１４４ａは連続的に接続された頂点爪部を形成し、左側壁１６０の高壁部１６３の頂点爪部１６４と下側壁１４０の高壁部１４３ｂの頂点爪部１４４ｂは連続的に接続された頂点爪部を形成している。
【００３０】
図３Ｂを参照してスマートフォン用ケース１００の下面構成を説明する。底板１２０の後面１２０Ｂは、４つの部分、即ち、中央の平坦面１２０ａ、上側傾斜面１２０ｂ、下側傾斜面１２０ｃ、右側傾斜面１２０ｄ、左側傾斜面１２０ｅ、を有する。平坦面１２０ａは周囲の傾斜面より突出している。従って、平坦面１２０ａの厚さは周囲の部分より厚い。スマホを装着したスマートフォン用ケース１００を左手で持つ場合に、後面１２０Ｂの平坦面１２０ａが手のひらに接触する。従って、本考案に係るスマートフォン用ケース１００は手に持ちやすい利点を有する。
【００３１】
図４は、スマホの前面２２０Ａの周縁と右側面２５０の上縁の間に形成された溝２１０に、スマートフォン用ケース１００の右側壁１５０の高壁部１５３の頂点爪部１５４が係合している状態を示す。上述のように、スマートフォン用ケース１００は、硬く且つ適当な弾性を有する透明なプラスチック製である。従って、スマホに本考案に係るスマートフォン用ケース１００に装着するとき、頂点爪部１５４が弾性変形し、溝２１０に係合する。スマホから本考案に係るスマートフォン用ケース１００を外す場合には、頂点爪部１５４が弾性変形し、溝２１０から外れる。従って、スマホに、スマートフォン用ケース１００を装着した後は、スマートフォン用ケース１００は簡単にはスマホからは外れないが、スマホから、スマートフォン用ケース１００を外すことは容易である。ここでは、右側壁１５０の高壁部１５３の頂点爪部１５４を例として説明したが、他の頂点爪部１６４、１４４ａ、１４４ｂについても同様である。
【００３２】
以上により、スマートフォン用ケースの実施形態を説明したが、本考案はこれに限定されない。本考案は、本実施形態に対して当業者が容易になし得る追加、削除、変更、改良等を含むものである。本考案の技術的範囲は、添付の実用新案登録請求の範囲の記載によって定められる。
【符号の説明】
【００３３】
１００…スマホ用ケース、１２０…底板、１２０Ａ…前面、１２０Ｂ…後面、１２１…窓
１３０…上側壁、１４０…下側壁、１４１…低壁部、１４２ａ、１４２ｂ…遷移部、１４３ａ、１４３ｂ…高壁部、１４４ａ、１４４ｂ…頂点爪部、１５０…右側壁、１５０Ａ…上側湾曲部、１５０Ｂ…下側湾曲部、１５１…低壁部、１５２…遷移部、１５３…高壁部、１５４…頂点爪部、１６０…左側壁、１６０Ａ…上側湾曲部、１６０Ｂ…下側湾曲部、１６１…低壁部、１６２…遷移部、１６３…高壁部、１６４…頂点爪部、２００…スマホ、２１０…溝、２２０Ａ…前面、２２１…カメラ、２２２…レシーバー／前面マイク、２２３…タッチパネル（液晶表示部）、２２４…ホームボタン、２２０Ｂ…後面、２２５…カメラ、２２６…マイク、２２７…ＬＥＤフラッシュ、２３０…上側面、２３１…スリープ／スリープ解除ボタン、２４０…下側面、２４１…ヘッドセットコネクタ、２４２…マイク、２４３…ライトニングコネクタ、２４４…スピーカ、２５０…右側面、２５０Ａ…上側湾曲面、２５０Ｂ…下側湾曲面、２５１…ＳＩＭカードトレイ、２６０…左側面、２６０Ａ…上側湾曲面、２６０Ｂ…下側湾曲面、２６１…着信／サイレントスイッチ、２６２…音量ボタン
【図１Ａ】
0003181994.tif 000003
【図１Ｂ】
0003181994.tif 000004
【図２Ａ】
0003181994.tif 000005
【図２Ｂ】
0003181994.tif 000006
【図３Ａ】
0003181994.tif 000007
【図３Ｂ】
0003181994.tif 000008
【図４】
0003181994.tif 000009